(57)【要約】【課題】筐体の組立技術の豊富化を図ることができる携帯電子機器を提供する。【解決手段】携帯電話機１は、互いに対向するフロントケース２１とリアケース２３とを有する筐体本体２９と、フロントケース２１とリアケース２３との対向方向に交差する方向においてフロントケース２１とリアケース２３とに対してスライド可能に筐体本体２９に取り付けられると共に、フロントケース２１とリアケース２３とを対向方向において挟持するサイドパーツ２５とを有する。【選択図】図３
2010081570.tif 000002
【特許請求の範囲】
【請求項１】
互いに対向する第１筐体部材と第２筐体部材とを有する筐体と、
前記第１筐体部材と前記第２筐体部材との対向方向に交差する方向において前記第１筐体部材と前記第２筐体部材とに対してスライド可能に前記筐体に取り付けられると共に、前記第１筐体部材と前記第２筐体部材とを前記対向方向において挟持する挟持部と、
を有する携帯電子機器。
【請求項２】
前記挟持部は、前記第１筐体部材と前記第２筐体部材との合わせ目を覆う
請求項１に記載の携帯電子機器。
【請求項３】
前記挟持部は、前記第１筐体部材及び前記第２筐体部材を構成する材料よりも剛性の高い材料により構成されている
請求項１又は２に記載の携帯電子機器。
【請求項４】
前記挟持部は、前記対向方向の平面視における、前記筐体の一端部に取り付けられる第１構成部を有する
請求項１乃至３のいずれか一項に記載の携帯電子機器。
【請求項５】
前記挟持部は、前記筐体の前記一端部に交差する２つの他の端部の少なくとも一方に取り付けられると共に、前記第１構成部と一体形成される第２構成部を有する
請求項４に記載の携帯電子機器。
【請求項６】
前記第１筐体部材と前記第２筐体部材とに挟持される弾性部材を有する
請求項１乃至５のいずれか一項に記載の携帯電子機器。
【請求項７】
前記弾性部材は、前記挟持部が前記第１筐体部材及び第２筐体部材を挟持する位置において前記第１筐体部材と前記第２筐体部材とに挟持される
請求項６に記載の携帯電子機器。
【請求項８】
前記挟持部は、導電部を有して構成され、
前記導電部は、所定の周波数の電磁波に共振される
請求項１乃至７のいずれか一項に記載の携帯電子機器。
【請求項９】
筐体内部に配設され、給電可能に構成される給電部と、
前記挟持部を前記筐体に固定すると共に、前記導電部及び前記給電部に電気的に接続される導電性の固定部と、
を有し、
前記導電部は、前記固定部を介して前記給電部から給電される
請求項８に記載の携帯電子機器。
【請求項１０】
前記筐体は、前記２つの他の端部に形成されたフリンジ部を有し、
前記挟持部は、前記フリンジ部を前記対向方向の両側から挟む溝部を前記第２構成部の筐体側面に有し、
前記挟持部は、前記第１構成部が前記筐体に近づく向きに押し込まれたときに前記第２構成部の前記溝部が前記フリンジ部を挟んだ状態で前記対向方向と交差する方向にスライドする、スライド溝による挟持構造を有する
請求項５に記載の携帯電子機器。
【請求項１１】
前記第１筐体部材は、
前記第２筐体部材によって塞がれる開口部と、
前記第１筐体部材の一端部側に形成され、前記挟持部を収容する切欠部と
を有し、
前記切欠部が形成されていない筐体箇所に第１係止部が形成され、
前記切欠部に前記挟持部が収容されたときに前記第２筐体部材を、前記第１係止部を軸として開閉可能な状態から閉状態にロックする第２係止部が、前記切欠部を有する筐体箇所に形成されている
請求項１乃至７のいずれか一項に記載の携帯電子機器。
【請求項１２】
前記挟持部は、前記第１筐体部材の一端部側で前記切欠部に収容されたときに、前記第２係止部の鍵部として前記第１筐体部材および前記第２筐体部材と嵌合し、前記第２筐体部材を前記閉状態にロックする形状の第１構成部を有する
請求項１１に記載の携帯電子機器。
【請求項１３】
前記切欠部は、前記第１筐体部材の前記一端部から、該一端部に交差する方向の２つの他の端部に延在しており、
前記挟持部は、前記第１構成部を前記第１筐体部材に近づく向きに押して該第１構成部を切欠部に収容したときに、前記２つの他の端部で切欠部内をスライドして前記第１筐体部材に取り付けられると共に、前記第１構成部と一体形成される第２構成部を有する
請求項１２に記載の携帯電子機器。
【請求項１４】
前記第２筐体部材は、前記挟持部とともに前記第１筐体部材の前記切欠部に収容可能な形状の周壁部を有し、
前記第２構成部の前記周壁部側の内面にスライド突起が設けられ、
前記第２構成部の前記内面と摺接する前記第２筐体部材の前記周壁部の面に、前記スライド突起を収容し、該スライド突起の移動範囲に対応した長さの凹部が形成されている
請求項１３に記載の携帯電子機器。
【請求項１５】
前記スライド突起は、スライド方向先端側ほど、前記第１筐体部材と前記第２筐体部材の対向方向のサイズが細く形成され、
前記スライド突起の形状に対応して前記凹部のスライド方向先端部分が先端側ほど細く形成されている
請求項１４に記載の携帯電子機器。
【請求項１６】
前記第２構成部と前記第２筐体部材の２つの摺接面に、前記スライド突起とともにスライドする位置決め突起と、該位置決め突起を収容して、該位置決め突起の移動方向に長い形状の位置決め凹部とが形成されている
請求項１４または１５に記載の携帯電子機器。
【請求項１７】
前記挟持部は、導電部を有して構成され、
前記導電部は、所定の周波数の電磁波に共振される
請求項１１乃至１６のいずれか一項に記載の携帯電子機器。
【請求項１８】
筐体内部に配設され、給電可能に構成される給電部と、
前記給電部と電気的に接続された導電性の固定接続部と、
前記挟持部を前記筐体にスライドして固定するときに、前記挟持部の前記導電部と電気的接触がとられて筐体内に押し込まれ、前記固定接続部と電気的に接続されることにより前記挟持部と前記給電部との電気的接続経路を形成する導電性の可動接続部と、
を有する請求項１７に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
互いに対向するフロントケース（第１筐体部材）及びリアケース（第２筐体部材）を有する携帯電子機器の筐体が知られている（例えば特許文献１）。フロントケースとリアケースとは、一方に挿通されたネジが他方に螺合されることにより互いに固定される。
【特許文献１】特開２００６−２３８２０４号公報
【発明の開示】
【発明が解決しようとする課題】
【０００３】
しかし、特許文献１の技術は、第１筐体部材と第２筐体部材とを確実に固定するためには多くのネジを要する。
【０００４】
本発明は、多くのネジを使わずとも、第１筐体部材と第２筐体部材とを確実に固定することのできる携帯電子機器を提供することを目的とする。
【課題を解決するための手段】
【０００５】
本発明の携帯電子機器は、互いに対向する第１筐体部材と第２筐体部材とを有する筐体と、前記第１筐体部材と前記第２筐体部材との対向方向に交差する方向において前記第１筐体部材と前記第２筐体部材とに対してスライド可能に前記筐体に取り付けられると共に、前記第１筐体部材と前記第２筐体部材とを前記対向方向において挟持する挟持部と、を有する。
【０００６】
好適には、前記挟持部は、前記第１筐体部材と前記第２筐体部材との合わせ目を覆う。
【０００７】
好適には、前記挟持部は、前記第１筐体部材及び前記第２筐体部材を構成する材料よりも剛性の高い材料により構成されている。
【０００８】
好適には、前記挟持部は、前記対向方向の平面視における、前記筐体の一端部に取り付けられる第１構成部を有する。
【０００９】
好適には、前記挟持部は、前記筐体の前記一端部に交差する２つの他の端部の少なくとも一方に取り付けられると共に、前記第１構成部と一体形成される第２構成部を有する。
【００１０】
好適には、前記第１筐体部材と前記第２筐体部材とに挟持される弾性部材を有する。
【００１１】
好適には、前記弾性部材は、前記挟持部が前記第１筐体部材及び第２筐体部材を挟持する位置において前記第１筐体部材と前記第２筐体部材とに挟持される。
【００１２】
好適には、前記挟持部は、導電部を有して構成され、前記導電部は、所定の周波数の電磁波に共振される。
【００１３】
好適には、筐体内部に配設され、給電可能に構成される給電部と、前記挟持部を前記筐体に固定すると共に、前記導電部及び前記給電部に電気的に接続される導電性の固定部と、を有し、前記導電部は、前記固定部を介して前記給電部から給電される。
【発明の効果】
【００１４】
本発明によれば、多くのネジを使わずとも第１筐体部材と第２筐体部材とを確実に固定することができる。
【発明を実施するための最良の形態】
【００１５】
携帯電話への本発明の適用を例として、本発明の実施の形態を、図面を参照して説明する。
【００１６】
＜第１の実施の形態＞
図１（ａ）及び図１（ｂ）は、第１の実施の形態に係る携帯電話機１の外観を開状態で示す正面図及び側面図である。
【００１７】
携帯電話機１は、いわゆる折り畳み式の携帯電話機として構成されている。具体的には、携帯電話機１は、回転軸ＲＡ回りに回転可能に連結された送話筐体３及び受話筐体５を有し、図１において図示されている開状態と、送話筐体３及び受話筐体５が互いに重ね合わされる閉状態との間で遷移可能である。
【００１８】
送話筐体３及び受話筐体５は、それぞれ概ね薄型直方体状に形成されており、閉状態では互いの輪郭が略一致する。回転軸ＲＡは、送話筐体３及び受話筐体５の長手方向の一端側に位置している。
【００１９】
送話筐体３及び受話筐体５の連結は、連結部７によってなされている。連結部７は、送話筐体３の端部に形成された連結突部３ｅと、受話筐体５の端部に形成され、連結突部３ｅが挿入される連結凹部５ｅとを有している。連結突部３ｅ及び連結凹部５ｅの、回転軸ＲＡ方向において互いに対向する面には、連結突部３ｅ及び連結凹部５ｅの回転軸ＲＡ回りの相対回転を許容する不図示のヒンジ部材が挿通されている。また、当該対向する面には、送話筐体３及び受話筐体５の電子回路を互いに接続する不図示の信号線が挿通されている。
【００２０】
送話筐体３には、例えば、通話用のマイクロフォン８７（図８参照）、通信のための内蔵アンテナ８１（図８参照）、ユーザの操作を受け付ける操作部９が設けられている。受話筐体５には、例えば、通話用のスピーカ８３（図８参照）、報知用のスピーカ８５（図８参照）、画像や文字を表示する表示部１１が設けられている。表示部１１は、例えば、液晶表示装置又は有機ＥＬ表示装置を含んでいる。
【００２１】
図２は、受話筐体５を背面側（図１（ａ）の紙面裏側）から見た斜視図である。図３は、受話筐体５の分解斜視図である。図４は、図２のＩＶ−ＩＶ線における断面図である。図５は、図２のＶ−Ｖ線における断面図である。なお、図２〜図５では、不図示のヒンジ部材が挿通される連結凹部５ｅの孔部等の構造の詳細は省略されている。
【００２２】
図２に示すように、受話筐体５は、平面視において概ね矩形状に形成されており、連結凹部５ｅとは反対側の開閉端部５ａと、開閉端部５ａに交差（より具体的には直交）する２つの側部５ｃとを有している。連結凹部５ｅは、受話筐体５の長手方向の一端に設けられているから、開閉端部５ａは、矩形の短手側の端部となっており、また、側部５ｃは、矩形の長手側の端部となっている。
【００２３】
図２及び図３に示すように、受話筐体５は、互いに対向するフロントケース２１及びリアケース２３と、フロントケース２１及びリアケース２３を固定するサイドパーツ２５と、受話筐体５の内部を密閉するためのパッキン２７とを有している。なお、以下では、フロントケース２１及びリアケース２３により構成される部分を筐体本体２９ということがある。
【００２４】
フロントケース２１は、主として受話筐体５の正面側（表示部１１が露出する側）部分を構成し、リアケース２３は、主として受話筐体５の背面側部分を構成する。フロントケース２１及びリアケース２３により囲まれる空間、すなわち、筐体本体２９の内部空間には、表示部１１を構成する不図示の表示装置等の電子部品が配置される。フロントケース２１及びリアケース２３は、例えば、それぞれ非導電性の樹脂により一体成形されている。
【００２５】
図３に示すように、フロントケース２１は、第１空間形成部３１と、第１空間形成部３１に隣接する第２空間形成部３３とを有している。第１空間形成部３１は、表示装置等の電子部品を収容する第１空間Ｓ１（図４及び図５）を形成する部分であり、第２空間形成部３３は、信号線等の電子部品やヒンジ部材を収容する第２空間Ｓ２（図５）を形成する部分である。
【００２６】
第１空間形成部３１は、例えば、概ね矩形の枠状に形成され、フロントケース２１の大部分を占めている。第２空間形成部３３は、例えば、第１空間形成部３１の連結部７側に隣接しており、連結凹部５ｅを形成するために平面視において概ねＵ字状に形成されている。また、第２空間形成部３３は、リアケース２３側が開口された凹部を有する凹状（箱状）に形成されている。
【００２７】
リアケース２３は、例えば、概ね矩形の板状に形成されている。リアケース２３がフロントケース２１の背面側に被せられると、第１空間形成部３１の開口が塞がれ、第１空間Ｓ１が形成される。また、第２空間形成部３３のリアケース２３側が開口された凹部の開口面が塞がれ、第２空間Ｓ２が形成される。第１空間Ｓ１と第２空間Ｓ２とは、第１空間形成部３１の一部である隔壁部３５によって仕切られる。
【００２８】
図４及び図５に示すように、第１空間Ｓ１の正面側は、表示装置を露出させるための透光性の表示パネル３７によって塞がれる。表示パネル３７は、例えば、非導電性の樹脂又はガラスにより構成され、両面テープや接着材等の接着部材によりフロントケース２１に固定される。
【００２９】
サイドパーツ２５は、フロントケース２１及びリアケース２３を、これらの対向方向において挟持することにより、フロントケース２１及びリアケース２３を固定するものである。サイドパーツ２５は、例えば、金属により構成されている。従って、サイドパーツ２５は、導電性を有し、また、フロントケース２１及びリアケース２３を構成する材料よりも剛性が高い材料により構成されている。
【００３０】
図３に示すように、サイドパーツ２５は、概ねＵ字状に形成されており、開閉端部５ａ側の第１構成部２５ａと、第１構成部２５ａに交差（より具体的には直交）する２つの第２構成部２５ｂとを有している。サイドパーツ２５の内周面には、第１構成部２５ａ及び２つの第２構成部２５ｂに亘って、サイドパーツ２５の延びる方向に沿って延びる溝部２５ｃが形成されている。換言すれば、サイドパーツ２５の内周面には２本のレール２５ｄが形成され、２本のレール２５ｄとサイドパーツ２５の枠体内面とによって溝部２５ｃが形成されている。溝部２５ｃは、重ね合わされたフロントケース２１及びリアケース２３の開閉端部５ａ側及び側部５ｃ側の縁部が嵌合する幅に形成されている。
【００３１】
サイドパーツ２５は、筐体本体２９に対して、フロントケース２１及びリアケース２３の対向方向に交差（具体的には直交）する方向にスライドして取り付けられる。具体的には、図３及び図４に示すように、サイドパーツ２５は、２本のレール２５ｄによりフロントケース２１及びリアケース２３の側部５ｃ側の縁部を挟持しつつ、開閉端部５ａ側から連結部７側へスライドされる。図３及び図５に示すように、サイドパーツ２５は、さらにスライドされると、２本のレール２５ｄにより開閉端部５ａ側の縁部も挟持する。このとき、第２構成部２５ｂは、筐体本体２９の側部の概ね全体に亘って配置される。従って、サイドパーツ２５は、矩形状の第１空間形成部３１の３辺全体を囲むことになる。
【００３２】
なお、図２に示すように、筐体本体２９及びサイドパーツ２５は、組み立てられたときに、サイドパーツ２５によって受話筐体５の表面に凹凸が生じないように構成されている。すなわち、筐体本体２９には、サイドパーツ２５が嵌合する凹部が形成されている。
【００３３】
具体的には、図３に示すように、リアケース２３の開閉端部５ａ側の縁部及び側部５ｃ側の縁部は、平面視において、サイドパーツ２５の溝部２５ｃの底面の厚さと同等の大きさでフロントケース２１よりも内側に切り欠かれている。さらに、その切り欠かれた部分の大部分は、リアケース２３側のレール２５ｄの大きさと同等の大きさで背面側部分が切り欠かれている。換言すれば、溝部２５ｃに挿入される、他の部分よりも薄いフランジ２３ｃが形成されている。
【００３４】
また、フロントケース２１の開閉端部５ａ側の縁部及び側部５ｃ側の縁部は、リアケース２３側が、サイドパーツ２５の溝部２５ｃの底面の厚さと同等の大きさでリアケース２３とは反対側よりも内側に切り欠かれている。さらに、その切り欠かれた部分は、図３〜図５に示すように、フロントケース２１側のレール２５ｄが嵌合する形状となっている。換言すれば、フロントケース２１の縁部のリアケース２３側には、溝部２５ｃに挿入される、フランジ２１ｃが形成されている。フロントケース２１のフランジ２１ｃ及びリアケース２３のフランジ２３ｃは、サイドパーツ２５の溝部２５ｃに共に嵌合する。
【００３５】
サイドパーツ２５は、筐体本体２９へ取り付けられた後は、適宜な方法により、筐体本体２９に対するスライドが禁止される。例えば、図３に示すように、筐体本体２９に固定されるネジ２６Ａ及び２６Ｂ（以下、Ａ、Ｂを省略することがある。）によって、筐体本体２９に対するスライドが禁止される。ネジ２６は、第２構成部２５ｂの、第１構成部２５ａとは反対側の端部に挿通され、フロントケース２１の、第１空間形成部３１と第２空間形成部３３との境界部分において螺合される。また、ネジ２６は、サイドパーツ２５のスライド方向に交差（具体的には直交）するとともに、フロントケース２１及びリアケース２３の対向方向に交差（具体的には直交）するように挿通される。
【００３６】
なお、フロントケース２１及びリアケース２３は、リアケース２３に挿通されてフロントケース２１に固定されるネジ３９Ａ及び３９Ｂ（以下、Ａ、Ｂを省略することがある。）によっても固定される。ネジ３９は、第１空間形成部３１と第２空間形成部３３との境界位置において、フロントケース２１及びリアケース２３を固定する。なお、ネジ３９は、フロントケース２１及びリアケース２３の固定において補助的なものであり、省略することも可能である。
【００３７】
パッキン２７は、フロントケース２１とリアケース２３との合せ目から第１空間Ｓ１へ塵や水が侵入することを防止するためのものである。パッキン２７は、例えば、ゴムにより形成されている。パッキン２７は、第１空間Ｓ１を囲む環状、より具体的には、第１空間形成部３１と同等の大きさの概ね矩形状に形成されている。第１空間形成部３１には、パッキン２７が嵌合する溝部２８が第１空間Ｓ１を囲むように形成されている。パッキン２７及び溝部２８の断面形状は例えば円形や矩形である。
【００３８】
パッキン２７が溝部２８に嵌め込まれ、フロントケース２１とリアケース２３とがサイドパーツ２５によって挟持されると、図４及び図５に示すように、パッキン２７は、フロントケース２１及びリアケース２３によって圧縮される。そして、パッキン２７は、フロントケース２１及びリアケース２３に対して全周に亘って密着する。
【００３９】
なお、図３に示すように、サイドパーツ２５は、筐体本体２９の外周３方においてフロントケース２１及びリアケース２３を挟持しており、パッキン２７は、その筐体本体２９の外周３方に一部が位置している。従って、パッキン２７は、サイドパーツ２５がフロントケース２１及びリアケース２３を挟持する位置に配置されていることになる。さらに詳細には、図４及び図５に示すように、パッキン２７は、２本のレール２５ｄと重なる位置に配置されている。
【００４０】
携帯電話機１は、非接触型ＩＣカードと同様に使用可能に構成されている。すなわち、携帯電話機１は、受話筐体５の正面又は背面をリーダライタに対向させることにより、電磁波を利用した近距離無線通信が可能に構成されている。そして、サイドパーツ２５は、近距離無線通信用のループアンテナとして機能する。すなわち、サイドパーツ２５は、所定の周波数（例えば１３．５６ＭＨｚ）の電磁波に共振される。そして、携帯電話機１は、図３に示すように、サイドパーツ２５と第１空間Ｓ１に設けられた近距離通信処理部８９（図８）と接続するための接続板金４１を有している。
【００４１】
接続板金４１は、概ねＬ字状に形成されており、第１延在部４１ａと、第１延在部４１ａに直交する第２延在部４１ｂとを有している。第１延在部４１ａは、隔壁部３５に挿通され、先端が第１空間Ｓ１内の電子回路に接続される部分である。第２延在部４１ｂは、第２空間Ｓ２において、サイドパーツ２５に接続される部分である。
【００４２】
携帯電話機１は、接続板金４１の配置位置においても第１空間Ｓ１への塵や水の侵入を防止する構成を有している。具体的には、以下のとおりである。パッキン２７は、パッキン２７の隔壁部３５に沿って延びる部分の一部が肉厚に形成されることにより形成された肉厚部２７ｂを有している。肉厚部２７ｂは、例えば、概ね直方体状に形成されている。隔壁部３５には、肉厚部２７ｂが嵌合する切り欠き部３５ｂが形成されている。切り欠き部３５ｂは、例えば、隔壁部３５の端部に設けられている。肉厚部２７ｂには、接続板金４１が挿通される孔部が形成されている。当該孔部は、例えば、第１延在部４１ａが嵌合する形状、すなわち、奥行きのあるスリット状に形成されている。
【００４３】
第１延在部４１ａが肉厚部２７ｂに挿通され、肉厚部２７ｂが切り欠き部３５ｂに嵌合され、フロントケース２１及びリアケース２３がサイドパーツ２５により挟持されると、肉厚部２７ｂは、パッキン２７の他の部分と同様に、フロントケース２１及びリアケース２３により圧縮される（図７も参照）。そして、肉厚部２７ｂは、外周部がフロントケース２１及びリアケース２３に密着するとともに、孔部を形成する内周部が第１延在部４１ａに密着する。
【００４４】
図６は、接続板金４１付近の分解斜視図である。また、図７は、図６のＶＩＩ−ＶＩＩ線における断面図である。
【００４５】
図６に示すように、携帯電話機１は、近距離通信処理部８９等が設けられる回路基板４３と、接続板金４１とサイドパーツ２５とを接続するための雌ネジ部品４５とを有している。なお、雌ネジ部品４５は、フロントケース２１の一部として捉えられてもよいが、以下では、説明の便宜上、フロントケース２１とは別個の部材であるものとする。
【００４６】
回路基板４３は、例えば、硬質の樹脂をベースとしたプリント配線基板により構成されている。なお、回路基板４３は、フレキシブル基板により構成されてもよい。回路基板４３には、近距離通信処理部８９を構成する電子部品４７と、電子部品４７に接続された配線パターン層４９とが設けられている。
【００４７】
雌ネジ部品４５は、導電性の材料により形成されている。例えば、金属により形成されている。又は、金属の粉末が混ぜ込まれて導電性が付与された樹脂により形成されている。雌ネジ部品４５は、例えば、概ね直方体状に形成されており、一の面と、当該面に交差する面とに雌ネジ部が形成されている。雌ネジ部品４５は、隔壁部３５に隣接してフロントケース２１に配置される。フロントケース２１には、雌ネジ部品４５が嵌合する凹部が形成されている。
【００４８】
接続板金４１は、第１延在部４１ａが配線パターン層４９上に積層される。そして、図６及び図７に示すように、ネジ５１が、第１延在部４１ａに形成された孔部、及び、回路基板４３の、配線パターン層４９の配置位置に形成された孔部に挿通され、フロントケース２１に形成されたネジボス５３に螺合される。これにより、接続板金４１は、電子部品４７と電気的に接続される。なお、ネジ５１は、金属等の導電性を有する材料により構成されていることが好ましい。
【００４９】
また、接続板金４１は、第２延在部４１ｂが雌ネジ部品４５に積層される。そして、上述した、リアケース２３をフロントケース２１に固定するネジ３９Ｂは、リアケース２３の孔部とともに第２延在部４１ｂに形成された孔部にも挿通され、雌ネジ部品４５に螺合される。これにより、接続板金４１は、雌ネジ部品４５に導通される。なお、ネジ３９Ｂとは反対側に配置されるネジ３９Ａは、フロントケース２１に形成された雌ネジ部に螺合される。
【００５０】
上述した、サイドパーツ２５を筐体本体２９に固定するネジ２６Ｂは、金属等の導電性を有する材料により構成されている。そして、ネジ２６Ｂは、サイドパーツ２５及びフロントケース２１に形成された孔部に挿通され、雌ネジ部品４５に螺合される。これにより、サイドパーツ２５の固定がなされるとともに、雌ネジ部品４５とサイドパーツ２５とが導通される。ひいては、電子部品４７とサイドパーツ２５とが導通される。なお、ネジ２６Ｂとは反対側に配置されるネジ２６Ａは、フロントケース２１に形成された雌ネジ部に螺合される。
【００５１】
図８は、携帯電話機１の信号処理系の構成を示すブロック図である。
【００５２】
携帯電話機１は、ＣＰＵ７１、メモリ７３、遠距離通信処理部７５、音響処理部７７及び画像処理部７９を備えている。これら各部は例えばＩＣにより構成されている。
【００５３】
ＣＰＵ７１及びメモリ７３は、操作部９等の各種手段からの信号に基づいて所定の演算を行い、画像処理部７９等の各種手段の制御を実行する制御部として機能する。
【００５４】
遠距離通信処理部７５は、通話やメール等の電波を利用した遠距離無線通信を行う。具体的には、遠距離通信処理部７５は、ＣＰＵ７１からの信号を変調し、その変調した信号を、アンテナ８１を介して送信する。また、遠距離通信処理部７５は、アンテナ８１を介して受信した信号を復調し、その復調した信号をＣＰＵ７１に出力する。
【００５５】
音響処理部７７は、ＣＰＵ７１から送られた音響データを音響信号に変換し、その信号を通話用のスピーカ８３、着信等を報知するためのスピーカ８５に出力する。又、音響処理部７７は、マイクロフォン８７からの音響信号を音響データに変換し、そのデータをＣＰＵ７１に出力する。
【００５６】
画像処理部７９は、ＣＰＵ７１からの画像データを画像信号に変換し、その信号を表示部１１に出力する。
【００５７】
近距離通信処理部８９は、携帯電話機１を非接触型ＩＣカードとして機能させるための近距離無線通信を行う。具体的には、サイドパーツ２５を介して受信した信号を復調し、その復調した信号をＣＰＵ７１に出力する。また、近距離通信処理部８９は、ＣＰＵ７１からの信号を変調し、その変調した信号をサイドパーツ２５に出力する。換言すれば、近距離通信処理部８９は、サイドパーツ２５に接続板金４１を介して給電する。近距離通信処理部８９から信号が入力されたサイドパーツ２５は、リーダライタにおいて負荷変動を生じさせ、又は、リーダライタに電波を出力する。
【００５８】
なお、近距離通信処理部８９は、サイドパーツ２５の形成する開口を通過する磁束の変化によって生じる電流によって給電されてもよいし、携帯電話機１の不図示のバッテリにより給電されてもよい。また、近距離通信において動作するＣＰＵ及びメモリは、ＣＰＵ７１及びメモリ７３とは別個に設けられ、サイドパーツ２５の形成する電流により駆動されてもよい。
【００５９】
以上の第１の実施の形態によれば、携帯電話機１は、フロントケース２１及びリアケース２３との対向方向に交差する方向においてフロントケース２１及びリアケース２３とに対してスライド可能に筐体本体２９に取り付けられるサイドパーツ２５を有する。サイドパーツ２５は、フロントケース２１とリアケース２３とを対向方向において挟持する。
従って、新たな筐体の組立技術が実現される。この組立技術は、フロントケース２１及びリアケース２３の一方に挿通されて他方に螺合されるネジにより、フロントケース２１及びリアケース２３を固定する組立技術に比較して、以下に例示する効果を奏する。
フロントケース２１及びリアケース２３を固定するネジの数を減らす、又は、ネジを不要とすることが可能である。サイドパーツ２５を大きくすることなどにより、広い範囲に亘ってフロントケース２１及びリアケース２３の接触圧を高めることができる。サイドパーツ２５を利用してデザインの向上を図ることができる。
【００６０】
サイドパーツ２５は、フロントケース２１とリアケース２３との合わせ目を覆うことから、フロントケース２１とリアケース２３との合せ目から塵や水が侵入すること防止することにも寄与する。本例のサイドパーツ２５は、フロントケース２１とリアケース２３の３方縁部で、両ケースの合わせ目をより強く押し当てる力（押圧力）を均一に付与できる。よって、数箇所をネジ止めするときの押圧の仕方に比べると、押圧力の均一性が高く、その分、水分等の浸入防止能力も高くできる。
【００６１】
サイドパーツ２５は、フロントケース２１及びリアケース２３を構成する材料よりも剛性の高い材料により構成されていることから、受話筐体５の強度向上にも寄与している。
【００６２】
サイドパーツ２５は、フロントケース２１及びリアケース２３の対向方向の平面視における、筐体本体２９の一端部（開閉端部５ａ側の端部）に取り付けられる第１構成部２５ａを有する、従って、落下等による筐体本体２９の破損がサイドパーツにより抑制される。
【００６３】
さらに、サイドパーツ２５は、筐体本体２９の一端部（開閉端部５ａ側の端部）に交差する両端部（側部５ｃ側の端部）に取り付けられると共に、第１構成部２５ａと一体形成される第２構成部２５ｂを有する。従って、サイドパーツ２５は、フロントケース２１及びリアケース２３の外周を広い範囲に亘って挟持することになる。その結果、確実に、且つ、ガタ付きなく固定される。また、上述した防塵、防水、ネジの本数削減、強度向上、及び、落下による破損防止の効果等も向上する。
【００６４】
携帯電話機１は、フロントケース２１とリアケース２３とに挟持されるパッキン２７を有することから、フロントケース２１とリアケース２３とのガタ付きが防止される。また、筐体内への塵及び水の侵入抑制が図られる。筐体内外の絶縁性も向上し、アンテナとしてのサイドパーツ２５と筐体内部の電子回路との干渉も抑制される。
【００６５】
パッキン２７は、サイドパーツ２５がフロントケース２１及びリアケース２３を挟持する位置においてフロントケース２１とリアケース２３とに挟持されることから、サイドパーツ２５による圧縮力を直接的に受ける。その結果、フロントケース２１及びリアケース２３に対する密着性が向上し、防塵及び防水効果が向上する。特に、上述のように、サイドパーツ２５が第１構成部２５ａ及び第２構成部２５ｂを有している場合には、ネジの数を減らし、若しくは、ネジを用いずに、広い範囲に亘ってパッキン２７を均等に圧縮することができ、簡素な構造で防塵及び防水効果が向上する。
【００６６】
サイドパーツ２５は、導電性を有しており、換言すれば、導電部を有して構成されており、導電部は、所定の周波数の電磁波に共振される。従って、フロントケース２１及びリアケース２３を固定するためのサイドパーツ２５が、アンテナとしても利用されることになり、部材の有効活用が図られる。特に、上述のように、サイドパーツ２５が筐体本体２９の外周に亘って設けられるものである場合には、近距離無線通信用のループアンテナとして好適に利用可能である。すなわち、受話筐体５における小型化の要求を満たしつつ、ループアンテナの開口を大きくして、ループアンテナを通過する磁束を多くすることができる。
【００６７】
携帯電話機１は、筐体本体２９内部に配設され、給電可能に構成される電子部品４７と、サイドパーツ２５を筐体本体２９に固定すると共に、サイドパーツ２５及び電子部品４７に電気的に接続される導電性のネジ２６Ｂとを有する。そして、サイドパーツ２５は、ネジ２６Ｂを介して電子部品４７から給電される。従って、サイドパーツ２５の筐体本体２９への取り付け後のスライドを阻止する部材が、アンテナの導通にも利用され、部品点数の削減及びアンテナ給電構造の簡素化が図られる。
【００６８】
なお、以上の実施の形態において、携帯電話機１は本発明の電子機器の一例であり、筐体本体２９は本発明の筐体の一例であり、フロントケース２１及びリアケース２３は本発明の第１筐体部材及び第２筐体部材の一例であり、サイドパーツ２５は本発明の挟持部の一例であり、パッキン２７は本発明の弾性部材の一例であり、電子部品４７及び近距離通信処理部８９は本発明の給電部の一例であり、ネジ２６Ｂは本発明の固定部の一例である。
【００６９】
本発明は、以上の実施の形態に限定されず、種々の態様で実施されてよい。
【００７０】
携帯電子機器は、携帯電話機に限定されない。例えば、携帯電子機器は、ＰＤＡ、音楽プレーヤー、ノートパソコン、ゲーム機であってもよい。携帯の筐体は、折り畳み式のものに限定されない。例えば、スライド式のものであってもよいし、筐体が一つのみのいわゆるストレートタイプのものであってもよい。
【００７１】
筐体の形状は、直方体状のもの、又は、第１筐体部材及び第２筐体部材の対向方向の平面視において矩形状のものに限定されない。例えば、筐体は、球形のものであってもよいし、平面視において、一端部（実施の形態における開閉端部５ａ）が弧状に形成された長円形のものであってもよい。なお、平面視において矩形状の筐体は、角部が平面や曲面によって面取りされたものも含む。
【００７２】
挟持部は、第１筐体部材及び第２筐体部材の縁部に沿って設けられるものに限定されない。例えば、図９（ａ）に示す挟持部１２５のように、第１筐体部材１２１及び第２筐体部材１２３の中央側においてこれらを挟持するものであってもよい。また、挟持部が第１筐体部材及び第２筐体部材の縁部に沿って設けられるものである場合、挟持部１２５は、第１筐体部材及び第２筐体部材の対向方向の平面視において、筐体の３方を囲む形状に限定されない。図９（ｂ）に示す挟持部２２５のように、筐体の一端部のみにおいて第１筐体部材２２１及び第２筐体部材２２３の合わせ目を覆うものであってもよい。換言すれば、挟持部は、第１構成部のみを有するものであってもよい。また、この場合に、挟持部２２５（第１構成部）のスライド方向は、実施の形態と同様であってもよいし、図９（ｂ）のように異なっていてもよい。
【００７３】
挟持部の筐体への取り付け後のスライドを禁止する部材は、ネジに限定されない。例えば、挟持部及び筐体の一方に形成され、他方に係合する係合部であってもよいし、挟持部及び筐体の一方に挿通され、他方に係合する係合ピンであってもよいし、挟持部及び筐体を接着する接着部材であってもよい。
【００７４】
挟持部の材料は適宜に選択されてよく、第１筐体部材及び第２筐体部材を構成する材料よりも剛性の高い材料に限定されない。例えば、第１筐体部材及び第２筐体部材と同一の材料により構成されてもよい。また、挟持部は、全体が非導電性の材料により形成されてもよい。
【００７５】
第１筐体部材及び第２筐体部材に挟持される弾性部材は、パッキンに限定されない。弾性部材は、第１筐体部材及び第２筐体部材のガタ付きを防止する機能を有するものであってもよい。また、弾性部材は、ゴムにより構成されるものに限定されない。例えば、弾性部材は、スポンジにより構成されてもよい。
【００７６】
弾性部材は、挟持部が第１筐体部材及び第２筐体部材を挟持する位置において第１筐体部材と第２筐体部材とに挟持されるものに限定されない。また、弾性部材は、電子部品の収容空間を囲むように設けられなくてもよい。例えば、弾性部材は、挟持部がケースの縁部を挟持しているのに対し、ケースの中央側に配置されていてもよい。
【００７７】
挟持部がアンテナとして機能する場合、当該アンテナは、近距離無線通信を行うものに限定されない。通話やメール等の遠距離無線通信を行うためのアンテナであってもよい。
【００７８】
本発明における挟持部により挟持される第１筐体部材と第２筐体部材は、フロントケース２１やリアケース２３などのケース体に限定されない。第１筐体部材と第２筐体部材は、受話筐体５側の筐体部材に限らず、送話筐体３側の筐体部材であってもよい。
例えば、ケースの一部となる蓋の取り付け部分にも、本発明の挟持部による挟持構造が適用できる。
【００７９】
＜第２の実施の形態＞
第２の実施の形態では、第１筐体部材と第２筐体部材の一方が蓋部である場合を例示する。より具体的な例として、以下の説明では、第１筐体部材が送話筐体３のリアケースである場合、そのリアケースの裏面に取り付けられるバッテリー蓋を第２筐体部材の例とする。
【００８０】
図１０は、送話筐体３のリアケースの分解斜視図である。図１０には、送話筐体３内に収容される回路基板も併せて示す。
図１０に図解する送話筐体３のリアケースは、リアケース本体６０と、バッテリー蓋６１と、サイドパーツ９０を有する。
図１１に、サイドパーツの上面視を示す。
【００８１】
図１０に示すように、リアケース本体６０は、平面視において概ね矩形状に形成されている。
ただし、リアケース本体６０の長手方向の一端部側から、他端部に至るリアケース本体６０の途中（例えば中央付近）にかけて開口部６２が形成されている。開口部６２は、筐体の短手方向においては、バッテリー蓋６１のサイズより一回り小さい程度のサイズを有し、比較的大きく開口している。開口部６２は、不図示の矩形板状のバッテリーを収容するバッテリー収容部の着脱口として利用される。
【００８２】
リアケース本体６０は、不図示のフロントケースと厚さ方向（ケースの対向方向）に付き合わされて送話筐体３を形成する。
送話筐体３内部には、メイン回路基板７２を中心として、これに実装または積層される多数の部品（不図示）が収容される。
【００８３】
ここでリアケース本体６０が本発明の第１筐体部材の一例であり、バッテリー蓋６１が第２筐体部材の一例である。また、バッテリー収容部の開口部６２が、第１筐体部材の開口部の一例である。
図１０において、バッテリー収容部は、バッテリー蓋６１で開口部６２が塞がれると、ほぼ閉じられるような空間を有する。このとき該空間の一部がリアケース本体６０と不図示のフロントケースとの内部空間に連通している。あるいは、メイン回路基板７２が、バッテリー収容部の底面の全部または一部となるようにしてもよい。
【００８４】
バッテリー蓋６１は、開口部６２より一回り大きいことで開口部６２を塞ぐ、おおむね矩形の形状を有し、蓋としての機能と筐体の一部としての機能を備える。このため、バッテリー蓋６１の外面はコーナー等がラウンドしており、リアケース本体６０と一体の意匠を構成するように外面処理が施されている。
バッテリー蓋６１は、外面に露出される蓋板６１Ａと、蓋板６１Ａから下方（開口部６２の周囲側）に垂設された周壁部６１Ｂとを有する。バッテリー蓋６１の周壁部６１Ｂは、リアケース本体６０の一端部側（短手側）と、２つの他の端部側（長手側）との３方に形成されている。
【００８５】
サイドパーツ９０は、本発明の挟持部の一例である。
サイドパーツ９０は、バッテリー蓋６１にスライド可能に取り付けられる構造を有する。
詳細には、サイドパーツ９０は、図１１に示すように、全体でＵ字状に成形された導電性部材である。サイドパーツ９０は、図１０に示すバッテリー蓋６１の周壁部６１Ｂの３方で外側に装着されることから、このようなＵ字の形状を有する。
ここでサイドパーツ９０において、筐体の短手に対応した中央のほぼ直線状の部分を“第１構成部９０Ａ”と呼ぶ。また、第１構成部９０Ａの両端から、第１構成部９０Ａと交差する方向の一方側にほぼ直線状に延在する２つの部分を“第２構成部９０Ｂ”と呼ぶ。
【００８６】
図１１には、第１構成部９０Ａの一部と第２構成部９０Ｂの一部について、その内側の側面図も併せて示している。これら側面図には、図１０との対応を示すアップ“up”およびダウン“down”の向きを矢印で示している。
２つの第２構成部９０Ｂのそれぞれには、ダウン（down）側にスライド突起９１が設けられ、その斜めの上方側（アップ（up）側）に位置決め突起９２が設けられている。以下、スライド突起９１と位置決め突起９２を突起対（９１，９２）とも呼ぶ。
突起対（９１，９２）は、２つの第２構成部９０Ｂのそれぞれにおいて、等間隔で３つ配設されている。
なお、２つの第２構成部９０Ｂのそれぞれには、さらに、その自由端付近のダウン側に押圧突起９３が配設されている。
【００８７】
サイドパーツ９０の第１構成部９０Ａには、図１１に示すように、ダウン側に配設され比較的大きく突出する鍵部９４と、アップ側に配設された位置決め突起９２とが、上面視で交互に、ほぼ等間隔で形成されている。
以上のスライド突起９１、位置決め突起９２、押圧突起９３、鍵部９４の位置や個数に、特に限定はない。
【００８８】
ただし、押圧突起９３については、サイドパーツ９０をアンテナとして利用する場合、そのアンテナ接続部（４２,４４）との位置関係が予め決められている。
鍵部９４は、第１構成部９０Ａの中央に１つでもよい。しかし、鍵部９４は、後述するように第２係止部としてリアケース本体６０とバッテリー蓋６１の結合をロックする作用がある。このため、ロックを強固にするとの意味では、鍵部９４を複数設けることが望ましく、さらに望ましくは、図示のように３個、または、それ以上設けるとよい。
【００８９】
一方、スライド突起９１は、サイドパーツ９０をバッテリー蓋６１に一端側から押し込んだときに、バッテリー蓋６１とサイドパーツ９０が逆にスライドして外れることがないように両者を固定する力を発生させる作用がある。そのため、スライド突起９１は、そのスライド固定力をどの程度に設定するかに応じて、スライド突起９１の形状や個数等も決められることが望ましい。
【００９０】
図１１に示すスライド突起９１がスライド可能に収容される凹部として、図１０に一部拡大して示すように、バッテリー蓋６１の周壁部６１Ｂには、そのダウン側辺の一部が切り欠かれてスライド長孔６４が形成されている。
また、図１１に示す位置決め突起９２がスライド可能に収容される凹部として、図１０に一部拡大して示すように、位置決め長孔６５が周壁部６１Ｂに形成されている。さらに、図１１に示す押圧突起９３のスライドを邪魔しないための切欠部（押圧窓部６６）が周壁部６１Ｂに形成されている。
【００９１】
これらスライド長孔６４、位置決め長孔６５および押圧窓部６６の位置、形状および個数は、サイドパーツ９０のスライド突起９１、位置決め突起９２および押圧突起９３に対応している。
なお、本実施の形態における位置決め長孔６５は、周壁部６１Ｂが肉薄のため貫通孔となっているが、位置決めのための案内溝（単なる窪み）であってもよい。また、スライド長孔６４も案内溝であってもよい。ただし、本実施の形態では、スライド突起９１が、スライド長孔６４と係合してスライドをある程度の力で固定するだけでなく、リアケース本体６０とも係合してバッテリー蓋６１の浮きを防止する力も付与する。そのため、スライド長孔６４は貫通孔が望ましい。
本実施の形態におけるスライド突起９１とスライド長孔６４の形状、および、リアケース本体６０側の係止部分（浮き防止嵌合溝６８）については、以後の説明中で述べる。
【００９２】
リアケース本体６０には、バッテリー蓋６１の周壁部６１Ｂを、サイドパーツ９０を固定した状態で収容する切欠部を有する。
より詳細には、図１０に示す例では、リアケース本体６０の３つの外側面、即ち、“一端部”に位置する短手側面と、“２つの他の端部”に位置する２つの長手側面とに切欠部が形成されている。
ここで短手側面の切欠部を“切欠部６３Ａ”と表記し、２つの長手側面の切欠部を“切欠部６３Ｂ”と表記する。
【００９３】
切欠部６３Ａと２つの切欠部６３Ｂは連続しており、全体でほぼ、サイドパーツ９０と周壁部６１Ｂの結合体の形状に合致する。以下、切欠部６３Ａと２つの切欠部６３Ｂ全体を切欠部６３と表記する。
切欠部６３は、リアケース本体６０の開口部６２の周囲３方の外側面から、そのアップ側の一部を３方の周回部分で切り欠いたように形成されている。
図１０に示すように、切欠部６３Ａには、鍵部９４（図１１参照）に嵌合する大きさの鍵穴６７が３個形成されている。
また、切欠部６３Ｂには、長靴形状の浮き防止嵌合溝６８が、スライド突起９１（図１１参照）に対応する位置、形状および個数で形成されている。浮き防止については後述する。
【００９４】
開口部６２の周囲４辺のうち、一辺側には切欠部６３が形成されていない。この開口部６２の一辺側には、リアケース本体６０の表面から一段下がった肉厚の仕切り壁６０Ｃが配設されている。仕切り壁６０Ｃは、バッテリー収容部と他のリアケース本体内部空間とを仕切る壁であり、組み立て後は、バッテリー蓋６１により覆われるため、その上面が筐体外面より一段下がっている。
この仕切り壁６０Ｃの上面に、バッテリー蓋６１の爪（不図示）をスライドして落とし込む傾斜面６９Ａと爪穴６９Ｂからなる爪受け部６９が、爪の個数に対応して３個設けられている。爪受け部６９と爪により、本発明の“第１係止部”の例を構成する。
【００９５】
また、図１０では細かくなるため図示していないが、リアケース本体６０の開口部６２周囲の４方に、パッキン２７Ａを落とし込む溝部が形成されている。
パッキン２７Ａは、リアケース本体６０とバッテリー蓋６１との合せ目からバッテリー収容部内の空間へ塵や水が侵入することを防止するためのものである。
パッキン２７Ａは、例えば、ゴムにより形成されている。パッキン２７Ａ及び溝部２８の断面形状は例えば円形や矩形である。
【００９６】
第１の実施の形態と同様、挟持部（本例ではサイドパーツ９０）を、例えば非接触ＩＣカードの通信用のループアンテナとして利用できる。
その場合、サイドパーツ９０が導電性の金属等から形成されている。アンテナとしてのサイドパーツ９０は、例えば図８に示す近距離通信処理部８９に接続された“給電部”と電気的に接続する必要がある。第１の実施の形態では、図６に示す接続構造が採用されていた。
【００９７】
図１２に、第２の実施の形態におけるアンテナ接続構造を示す。図１２は、図１０中の矢印Ｃで示す向きの分解斜視図である。
図６では回路基板４３、電子部品４７および配線パターン層４９が“給電部”である。この給電部に相当するものは図１２では図示していないが、同様に、メイン回路基板７２に形成された電子部品や配線パターン層が、本実施の形態の給電部に相当する。
【００９８】
この給電部と電気的接触がとられた“第１接続部”として、図１１および図１２に示す形状の接続板金４２が、図１０に示すようにメイン回路基板７２に固定されている。接続板金４２は、Ｌ字状の板バネ部材（弾性導電部材）から形成されている。より詳細に接続板金４２は、メイン回路基板７２に固定される固定部４２Ａと、固定部４２Ａの一方端から立設する接触部４２Ｂとから形成されている。
【００９９】
接続板金４２は、その接触部４２Ｂが、リアケース本体６０の開口部コーナー付近の肉厚部（仕切り壁６０Ｃの延在部）に形成された板金挿入部６１Ｃ内に挿入される。
板金挿入部６１Ｃにはピン穴６１Ｄが開口され、ピン穴６１Ｄに、変形可能で防水効果が高いゴム等の弾性気密材料からなるパッキンチューブ７０が挿入されている。パッキンチューブ７０に対し、“第２接続部”として導電性のピン４４が外側から差し込まれ、該ピン４４がピン穴の軸方位に移動可能となっている。ピン４４は、パッキンチューブ７０の弾性反発力により外側に絞り出されるが、ピン頭が押されるとパッキンチューブ７０内に弾性反発力に抗して押し込まれ、このとき接続板金４２の接触部４２Ｂがピン４４の先端面と接触する。接触部４２Ｂのピン接触部分は、接触面積を大きくするため平皿状の窪みが形成されている。
【０１００】
ピン頭を押し込む部材としては、サイドパーツ９０に設けた押圧突起９３が、その役目を果たす（図１１も参照）。
図１２には、リアケース本体６０の切欠部６３Ｂにサイドパーツ９０の第２構成部９０Ｂが収容されたときのサイドパーツ外形を破線により示す。このサイドパーツ９０とバッテリー蓋６１との間に隙間があるが、実際には、この隙間に図１０に示すバッテリー蓋６１の周壁部６１Ｂが位置する。
【０１０１】
サイドパーツ９０は図に示す双頭矢印の向きにスライド可能である。サイドパーツ９０を切欠部に完全に収容するため、サイドパーツ９０が図１２の右側限度まで移動すると、サイドパーツ９０に設けた押圧突起９３がピン４４の頭を押すように作用する。
その結果、ピン４４がパッキンチューブ７０内に押し込まれ、ピン４４の先端が接触部４２Ｂに当接する。このとき接続板金４２は板バネとして働き、多少のガタや振動があってもピン４４と接続板金４２が離れることがない。
以上より、図１２で細い斜線により示す導電性部材同士の電気的接続が達成され、サイドパーツ９０が給電部と接触するためのアンテナ接続経路が形成される。
【０１０２】
つぎに、図１３〜図１７を用いて、送話筐体３のリアケースの組み立てについて説明する。
図１３（ａ）〜図１３（ｃ）は、リアケースの蓋取り付け手順を状態Ｓ１〜Ｓ３により示す側面図である。図１４と図１５は、図１３の状態Ｓ１〜状態Ｓ２に移行する過程における、図１０のＡ−Ａ線の断面から見た図である。図１６と図１７は、図１３の状態Ｓ２と状態Ｓ３（組み立て完了）でスライド係止状態の変化を示す図である。図１６は図１０のＤ−Ｄ線の断面から見た図、図１７は図１０のＢ方向からの側面図（ただし、リアケース本体は省略）である。なお、図１７にはピン４４と接続板金４２との非接触時と接触時の様子も併せて示す。
【０１０３】
図１３（ａ）に示す状態１では、予め、バッテリー蓋６１の周壁部６１Ｂにサイドパーツ９０を取り付ける。具体的には、図１１に示す位置決め突起９２を、図１０に示す位置決め長孔６５に収容する。この突起と孔の係合を、全ての位置決め突起９２と位置決め長孔６５で行う。このとき位置決め長孔６５が切欠部でなく完全な孔であるため、バッテリー蓋６１からサイドパーツ９０が脱落しないが、位置決め長孔６５内の長手方向に位置決め突起９２が自由に動くことで、スライドフリーとなっている。
【０１０４】
バッテリー蓋６１とサイドパーツ９０の組立体を、状態１（図１３（ａ））から状態２（図１３（ｂ））のようにしてリアケース本体６０に装着する。
より詳細には、バッテリー蓋６１の蓋板６１Ａの先端部に爪６１Ｅが設けられている（図１４および図１５も参照）。爪６１Ｅは図１３〜図１５では１つであるが、実際には、３つ設けられている。
３つの爪６１Ｅが図１０に示す３つの爪受け部６９において、それぞれ、傾斜面６９Ａから爪穴６９Ｂに挿入される。この３つの爪６１Ｅと爪受け部６９は“第１係止部”と呼ばれ、３つの爪が爪穴に挿入された状態で第１係止部を支点に、その反対側（第１構成部９０Ａ側）が上下動（開閉）可能である。
【０１０５】
図１４には、図１３（ａ）の状態１でパッキン２７Ａの装着の様子を示している。
仕切り壁６０Ｃの上面には傾斜面６９Ａが形成されているが、開口部寄りの上面位置に溝部６０Ｄが配設されている。溝部６０Ｄは、開口部６２の周囲にほぼ矩形状の平面視となるように形成されている。
パッキン２７Ａを溝部６０Ｄに落とし込み、図１３（ａ）の状態Ｓ１から図１３（ｂ）の状態Ｓ２となるようにバッテリー蓋６１を閉める。その過程で、図１４に示すように、パッキン２７Ａの上面が蓋板６１Ａのフリンジ部下面で押し当てられる。図１５は、実際に蓋板６１Ａの下面でパッキン２７Ａが押さえつけられ始めるときの様子を示す。
このとき以後、パッキン２７Ａが圧縮され、パッキン２７Ａはバッテリー蓋６１全周に亘ってリアケース本体６０と密着する。その結果、バッテリー蓋６１周囲に水分やゴミの侵入する隙間がパッキン２７Ａにより閉じられる。
【０１０６】
このバッテリー蓋６１を閉じた状態では、通常、図１３（ｂ）のようにサイドパーツ９０が一方端側に飛び出た状態となる。これは、図１４に図示されているスライド突起９１が第１構成部９０Ａと反対側の向き（以下、押圧方向）ほど、バッテリー蓋６１とリアケース本体６０の対向方向のサイズが細くなり、それに合わせてスライド長孔６４の形状も決められているからである。
より詳細に図示例では、スライド突起９１の下面は蓋と平行であるが、その上面が押圧方向ほど下がった斜めに傾斜している。この傾斜面に対応してスライド長孔６４の押圧方向の先端側にも斜めの傾斜天井面が形成されている。この２つの傾斜面同士が接触しない間、サイドパーツ９０はフリーであるが、接触させるにはある程度の力でサイドパーツ９０を押し込む必要がある。
【０１０７】
また、図１２に図示されている長靴状の浮き防止嵌合溝６８は、その縦の溝部分が、図１３（ａ）のようにバッテリー蓋６１を装着するときにスライド突起９１の先端部分を案内するガイドとなる。このスライド突起９１の先端部分が浮き防止嵌合溝６８に落とし込まれた時点では、スライド突起９１の先端部は、長靴状の浮き防止嵌合溝６８の底面付近を左右に自由に動くことができる。しかし、スライド突起９１の先端部分を浮き防止嵌合溝６８の靴先部分（傾斜面部分）に押し込むには、ある程度の力を必要とする。
【０１０８】
図１３（ｂ）のように第１構成部９０Ａを押してサイドパーツ９０をスライドさせて、図１３（ｃ）の状態Ｓ３に移行させる。
すると、図１６（ａ）の状態から図１６（ｂ）の状態に第１構成部９０Ａの断面部分の係止状態が変化する。より詳細には、鍵部９４が鍵穴６７に挿入される。この挿入によって、鍵部９４と鍵穴６７に設けられた傾斜面が接触して両者がしっかりと嵌合する。
【０１０９】
これと同時に、図１７（ａ）の状態から図１７（ｂ）の状態に第２構成部９０Ｂ側のスライド係止状態が変化する。このとき、スライド長孔６４の傾斜面による細い先端部にスライド突起９１の先端部が押し込まれ傾斜面同士が接触し、両者がしっかりと嵌合する。また、図１２に示す浮き防止嵌合溝６８において、その靴先の斜めの傾斜天井面がある部分に、スライド突起９１の先端部が押し込まれ傾斜面同士が接触する。これにより、スライド突起９１とリアケース本体６０がしっかりと結合する。スライド突起９１はバッテリー蓋６１と組みつけられているため、結果として、バッテリー蓋６１がリアケース本体６０と、浮き防止嵌合溝６８を介して直接結合する。そのため、爪６１Ｅと爪受け部６９（第１係止部）、および、その反対側の鍵部９４と鍵穴６７（第２係止部）のみでは完全に防止できないバッテリー蓋６１の浮きがある場合でも、その浮きが発生しない。あるいは、浮きまで至らないでも、第１係止部と第２係止部による係止構造において、そのサイド側でパッキン２７Ａにかかる圧縮力を均一に与えることができ、その分、気密性を向上できる。
【０１１０】
第２の実施の形態においても、第１の実施の形態と同様な変形が可能である。
つまり、携帯電子機器は、携帯電話機に限定されない。例えば、携帯電子機器は、ＰＤＡ、音楽プレーヤー、ノートパソコン、ゲーム機であってもよい。携帯の筐体は、折り畳み式のものに限定されない。
筐体の形状は、直方体状のもの、又は、第１筐体部材及び第２筐体部材の対向方向の平面視において矩形状のものに限定されない。
挟持部の材料は適宜に選択されてよく、第１筐体部材及び第２筐体部材を構成する材料よりも剛性の高い材料に限定されない。
【０１１１】
第１筐体部材及び第２筐体部材に挟持される弾性部材は、パッキン２７Ａに限定されない。弾性部材は、第１筐体部材及び第２筐体部材のガタ付きを防止する機能を有するものであってもよい。また、弾性部材は、ゴムにより構成されるものに限定されない。
【０１１２】
挟持部がアンテナとして機能する場合、当該アンテナは、近距離無線通信を行うものに限定されない。通話やメール等の遠距離無線通信を行うためのアンテナであってもよい。
【０１１３】
第２の実施の形態では、挟持部の構造を、レール状のスライド溝による形態（第１の実施の形態）以外でも実現できることを示すものである。
具体的に、第２の実施の形態では、第１係止部と第２係止部による対向型の係止構造と、さらには、そのサイドの浮き防止構造とで２つの筐体部材の挟持構造を実現した。この第２の実施の形態は、ケース本体（第１筐体部材）と、その一部の開口部を覆う蓋部（第２の筐体部材）との固定に適している。
以上の第１および第２の実施の形態によれば、多くのネジを使わずとも２つの筐体部材を確実に固定することができる。
【図面の簡単な説明】
【０１１４】
【図１】第１および第２の実施の形態に関わる携帯電話機の外観を示す正面図及び側面図
【図２】第１の実施の形態に関わる携帯電話機の受話筐体の斜視図
【図３】図２の受話筐体の分解斜視図
【図４】図２のＩＶ−ＩＶ線における断面図
【図５】図２のＶ−Ｖ線における断面図
【図６】図２の受話筐体の接続板金付近における分解斜視図
【図７】図６のＶＩＩ−ＶＩＩ線における断面図
【図８】図１の携帯電話機の信号処理系の構成を示すブロック図
【図９】第１の実施の形態における変形例を示す図
【図１０】第２の実施の形態に関わる携帯電話機の送話筐体のリアケースの分解斜視図
【図１１】図１０のサイドパーツ（挟持部）の上面図
【図１２】図１０の矢印Ｃから見たアンテナ接続構造の分解斜視図
【図１３】図１０のリアケースの蓋取り付け手順を示す側面図
【図１４】図１３の状態Ｓ１からＳ２に移行する直前の図１０の断面Ａ−Ａから見た図。
【図１５】バッテリー蓋を接触させたときの図１０の断面Ａ−Ａから見た図
【図１６】図１３の状態Ｓ２とＳ３のスライド係止状態の変化を第２構成部先端側（図１０の矢印Ｂ）から見た図
【図１７】図１３の状態Ｓ２とＳ３のスライド係止状態の変化を第１構成部断面（図１０のＢ―Ｂ線断面）から見た図
【符号の説明】
【０１１５】
１…携帯電話機（携帯電子機器）、２１…フロントケース（第１筐体部材又は第２筐体部材）、２３…リアケース（第１筐体部材又は第２筐体部材）、２５…サイドパーツ（挟持部）、２７,２７Ａ…パッキン（弾性部材）、２９…筐体本体（筐体）、４２…接続板金（固定接続部）、４４…ピン（可動接続部）、６０…リアケース本体（第１筐体部材）、６１…バッテリー蓋（第２筐体部材）、６１Ｂ…周壁部、６１Ｅ,６１Ｄ,７０…第１係止部、６４…スライド長孔（凹部）、６５…位置決め長孔（位置決め凹部）、６７…鍵穴（第２係止部）、９０…サイドパーツ（挟持部）、９０Ａ…第１構成部、９０Ｂ…第２構成部、９１…スライド突起、９２…位置決め突起、９３…押圧突起、９４…鍵部（第２係止部）、６８…浮き防止嵌合溝
【図１】
2010081570.tif 000003
【図２】
2010081570.tif 000004
【図３】
2010081570.tif 000005
【図４】
2010081570.tif 000006
【図５】
2010081570.tif 000007
【図６】
2010081570.tif 000008
【図７】
2010081570.tif 000009
【図８】
2010081570.tif 000010
【図９】
2010081570.tif 000011
【図１０】
2010081570.tif 000012
【図１１】
2010081570.tif 000013
【図１２】
2010081570.tif 000014
【図１３】
2010081570.tif 000015
【図１４】
2010081570.tif 000016
【図１５】
2010081570.tif 000017
【図１６】
2010081570.tif 000018
【図１７】
2010081570.tif 000019